(57)【要約】      （修正有）【課題】操作性を向上させることができる操作入力装置を提供する。【解決手段】操作入力装置１は、車両８のドア８０のウインドウガラス８１に対する接触位置を検出する接触検出部１０と、ウインドウガラス８１の振動を検出する振動検出部１２と、振動の検出に伴ってウインドウガラス８１の接触位置が検出された場合、ウインドウガラス８１の接触位置に応じた入力を受け付け、受け付けた入力に基づく予め定められた機能を判定する制御部１６と、を備えて概略構成されている。【選択図】図１
2019156206.tif 000002
【特許請求の範囲】
【請求項１】
車両のドアのウインドウガラスに対する接触位置を検出する接触検出部と、
前記ウインドウガラスの振動を検出する振動検出部と、
振動の検出に伴って前記ウインドウガラスの接触位置が検出された場合、前記ウインドウガラスの接触位置に応じた入力を受け付け、受け付けた入力に基づく予め定められた機能を判定する判定部と、
を備えた操作入力装置。
【請求項２】
前記ウインドウガラスの接触位置に応じた表示画像を前記ウインドウガラスに行う表示部を有する、
請求項１に記載の操作入力装置。
【請求項３】
前記判定部は、暗証番号を記憶し、前記ウインドウガラスの接触位置に基づいて入力された暗証番号と記憶された暗証番号とを照合し、照合が成立した場合、前記予め定められた機能の実行を指示する、
請求項１又は２に記載の操作入力装置。
【請求項４】
前記予め定められた機能は、前記ドアの施錠及び解錠である、
請求項１乃至３のいずれか１項に記載の操作入力装置。
【発明の詳細な説明】
【技術分野】
【０００１】
本発明は、操作入力装置に関する。
【背景技術】
【０００２】
従来の技術として、近接覚センサ、あるいは接触検知センサの検出電極と、車外との交信を行う送受信装置のアンテナと、をハンドル内に収容してなり、運転者の車両への接近、または接触を近接覚センサなどにより検知することにより送受信装置と運転者側の携帯装置とで交信してドアの施錠解除などを行う車両用ドアアウトサイドハンドル装置が知られている（例えば、特許文献１参照。）。
【０００３】
この車両用ドアアウトサイドハンドル装置は、ハンドル内には、ドアへの施錠操作信号を生成する静電容量型のタッチセンサの検出電極をハンドルの外側外殻により覆って収容すると共に、外側外殻のタッチセンサ感応位置には、操作点指示マークが設けられている。運転者は、車両から離れる際にハンドルの操作点指示マークに軽く触れるだけで、施錠操作をすることができる。
【先行技術文献】
【特許文献】
【０００４】
【特許文献１】特開２００３−２２１９４７号公報
【発明の概要】
【発明が解決しようとする課題】
【０００５】
この従来の車両用ドアアウトサイドハンドル装置のように、例えば、接触操作や接触した接触位置に基づく入力を可能としたセンサを車両の外に配置した場合、雨水などの導電性異物を検出する可能性がある。またそのようなセンサが導電性異物を検出し難くなるように判定のためのしきい値を高くして感度が低くされた場合、ユーザにとっては、入力が受け付けられ難くなって操作性が低下する問題がある。
【０００６】
従って本発明の目的は、操作性を向上させることができる操作入力装置を提供することにある。
【課題を解決するための手段】
【０００７】
本発明の一態様は、車両のドアのウインドウガラスに対する接触位置を検出する接触検出部と、ウインドウガラスの振動を検出する振動検出部と、振動の検出に伴ってウインドウガラスの接触位置が検出された場合、ウインドウガラスの接触位置に応じた入力を受け付け、受け付けた入力に基づく予め定められた機能を判定する判定部と、を備えた操作入力装置を提供する。
【発明の効果】
【０００８】
本発明によれば、操作性を向上させることができる。
【図面の簡単な説明】
【０００９】
【図１】図１（ａ）は、実施の形態に係る操作入力装置の接触検出部と振動検出部の配置の一例を示す概略図であり、図１（ｂ）は、操作入力装置のブロック図の一例である。
【図２】図２（ａ）は、実施の形態に係る操作入力装置が含まれる施解錠システムの一例を示すブロック図であり、図２（ｂ）は、ユーザ情報の一例を示す概略図である。
【図３】図３（ａ）及び図３（ｂ）は、実施の形態に係る接触検出部が検出した静電容量値の一例を示す概略図であり、図３（ｃ）は、振動検出部が検出した振動の一例を示す概略図である。
【図４】図４は、実施の形態に係る操作入力装置の動作の一例を示すフローチャートである。
【発明を実施するための形態】
【００１０】
（実施の形態の要約）
実施の形態に係る操作入力装置は、車両のドアのウインドウガラスに対する接触位置を検出する接触検出部と、ウインドウガラスの振動を検出する振動検出部と、振動の検出に伴ってウインドウガラスの接触位置が検出された場合、ウインドウガラスの接触位置に応じた入力を受け付け、受け付けた入力に基づく予め定められた機能を判定する判定部と、を備えて概略構成されている。
【００１１】
この操作入力装置は、振動の検出に伴ってウインドウガラスの接触位置が検出された場合に入力を受け付けるので、接触位置の検出用のしきい値を高く設定する場合と比べて、しきい値を高くして感度を下げる必要がなく、操作性を向上させることができる。
【００１２】
[実施の形態]
（操作入力装置１の概要）
図１（ａ）は、実施の形態に係る操作入力装置の接触検出部と振動検出部の配置の一例を示す概略図であり、図１（ｂ）は、操作入力装置のブロック図の一例である。図２（ａ）は、実施の形態に係る操作入力装置が含まれる施解錠システムの一例を示すブロック図であり、図２（ｂ）は、ユーザ情報の一例を示す概略図である。図３（ａ）及び図３（ｂ）は、実施の形態に係る接触検出部が検出した静電容量値の一例を示す概略図であり、図３（ｃ）は、振動検出部が検出した振動の一例を示す概略図である。この図３（ａ）及び図３（ｂ）は、検出領域１００のある入力領域１００ａの静電容量値Ｃの一例を示している。
【００１３】
なお、以下に記載する実施の形態に係る各図において、図形間の比率は、実際の比率とは異なる場合がある。また図１（ｂ）及び図２（ａ）では、主な信号や情報の流れを矢印で示している。
【００１４】
操作入力装置１は、例えば、図１（ａ）及び図１（ｂ）に示すように、車両８のドア８０のウインドウガラス８１に対する接触位置を検出する接触検出部１０と、ウインドウガラス８１の振動を検出する振動検出部１２と、振動の検出に伴ってウインドウガラス８１の接触位置が検出された場合、ウインドウガラス８１の接触位置に応じた入力を受け付け、受け付けた入力に基づく予め定められた機能を判定する判定部としての制御部１６と、を備えて概略構成されている。
【００１５】
また操作入力装置１は、例えば、図１（ａ）及び図１（ｂ）に示すように、接触検出部１０の検出領域１００に応じた表示画像１４０をウインドウガラス８１に行う表示部１４を有している。この表示部１４は、例えば、車両内部からウインドウガラス８１の検出領域１００に向けて表示画像１４０を投影するものである。なお変形例として表示画像１４０は、例えば、ウインドウガラス８１に印刷されたものであっても良い。
【００１６】
また制御部１６は、例えば、図１（ｂ）及び図２（ｂ）に示すように、暗証番号を記憶し、ウインドウガラス８１の接触位置に基づいて入力された暗証番号と記憶された暗証番号とを照合し、照合が成立した場合、予め定められた機能の実行を指示するように構成されている。
【００１７】
ここで図１（ａ）において操作入力装置１は、一例として、車両８の右側前方のドア８０に配置されているがこれに限定されず、左側前方ドアなどにも配置されても良い。また操作入力装置１は、例えば、スライドドアに配置されても良いし、トランクリッドにも配置されても良い。
【００１８】
また予め定められた機能とは、一例として、ドアなどの施錠（ロック）及び解錠（アンロック）である。ユーザは、車両８に登録された携帯機（電子キー７６）を所持した状態で、正しい暗証番号を入力することで、ドアのロック又はアンロックを指示することができる。また予め定められた機能は、例えば、操作入力装置１がスライドドアに配置されている場合、このスライドドアを施解錠する機能と共に、開閉（オープン）する機能であっても良い。
【００１９】
操作入力装置１は、一例として、図２（ａ）に示すように、施解錠システム７の一部を構成している。この施解錠システム７は、操作入力装置１が認証した暗証番号に応じて車両８のドアのロック、アンロックやオープンなどを行うシステムである。
【００２０】
この施解錠システム７は、一例として、図２（ａ）に示すように、操作入力装置１と、車両ＬＡＮ（Local Area Network）７０と、システム制御部７２と、認証部７４と、電子キー７６と、ドアロック部７８と、を備えて概略構成されている。
【００２１】
車両ＬＡＮ７０は、例えば、有線や無線によって相互に信号や情報などの交換を可能とするＣＡＮ（Controller Area Network）やＬＩＮ（Local Interconnect Network）といった車両用ネットワークである。
【００２２】
システム制御部７２は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このシステム制御部７２は、例えば、車両ＬＡＮ７０を介した通信などを制御する。
【００２３】
認証部７４は、例えば、通信範囲内において、ユーザが携帯する電子キー７６と無線通信を行い、電子キー７６の認証番号と登録された登録番号とを照合し、一致した場合に電子キー７６が登録されたものであると認証する。そして認証部７４は、電子キー７６の認証成立の情報、電子キー７６の操作ボタンの操作の情報、及び認証が成立した登録番号に関連するユーザの情報などを含む認証情報Ｓ５を、車両ＬＡＮ７０を介してシステム制御部７２や操作入力装置１に出力する。
【００２４】
システム制御部７２は、操作入力装置１から出力された指示信号Ｓ４、及び認証部７４から出力された認証情報Ｓ５に基づいてドアのロック、アンロックなどを指示するロックアンロック信号Ｓ６を、車両ＬＡＮ７０を介してドアロック部７８に出力する。
【００２５】
ドアロック部７８は、例えば、車両８の開閉可能なドアやトランクリッドなどのロック、アンロックなどを行う。そしてドアロック部７８は、例えば、システム制御部７２から出力されたロックアンロック信号Ｓ６に基づいて指定されたドアやトランクリッドなどのロック、アンロックなどを行う。
【００２６】
（接触検出部１０の構成）
接触検出部１０は、例えば、静電容量方式のタッチセンサである。この接触検出部１０は、ウインドウガラス８１の車両内部側に配置されている。接触検出部１０は、例えば、検出領域１００における接触位置が取得できるように構成されている。接触検出部１０は、一例として、検出領域１００の入力領域１００ａに応じた複数の検出電極を備えて概略構成されている。
【００２７】
この検出電極は、例えば、ＩＴＯ（スズドープ酸化インジウム：Indium Tin Oxide）などの透明電極として構成されている。なお変形例として接触検出部１０は、接触位置の座標が算出できるように、複数の駆動電極と検出電極とが絶縁を保ちながら検出領域１００に配置される構成であっても良い。
【００２８】
本実施の形態の入力領域１００ａは、一例として、図１（ａ）に示すように、検出領域１００を４行３列に等分割した領域である。この入力領域１００ａは、暗証番号を入力する際の最小単位となる。この検出領域１００は、例えば、図１（ａ）に示すように、ドアノブ８２の上方のウインドウガラス８１の領域である。
【００２９】
接触検出部１０は、検出領域１００のウインドウガラス８１に接触した検出対象物との間に生成される静電容量を入力領域１００ａごとに検出して検出情報Ｓ１として制御部１６に出力するように構成されている。この検出対象物は、ユーザの体の一部（例えば指）である。接触検出部１０は、例えば、図３（ａ）及び図３（ｂ）に示すように、接触操作、つまりタッチ入力がない場合、検出情報Ｓ１として入力領域１００ａごとに基準値Ｃ０を出力するように構成されている。
【００３０】
（振動検出部１２の構成）
振動検出部１２は、例えば、ウインドウガラス８１の変位を検出するセンサ、速度を検出するセンサ、及び加速度を検出するセンサなどである。本実施の形態の振動検出部１２は、ウインドウガラス８１の変位を振動として検出するセンサである。
【００３１】
そして振動検出部１２は、例えば、図１（ａ）に示すように、ウインドウガラス８１に配置されている。なお変形例として振動検出部１２は、例えば、レーザなどを用いてウインドウガラス８１に接触することなく変位を測定できる場合、ウインドウガラス８１に配置されなくても良い。
【００３２】
ウインドウガラス８１の変位は、一例として、ウインドウガラス８１の静止位置（基準位置Ｌ０）を基準として図１（ａ）の紙面の奥側方向が正、手前方向が負であるものとする。従って図３（ｃ）では、基準位置Ｌ０から上側がウインドウガラス８１の静止位置から奥側方向の変位であり、基準位置Ｌ０から下側が静止位置から手前方向の変位である。
【００３３】
振動検出部１２は、例えば、ウインドウガラス８１の変位に基づいた振動検出信号Ｓ２を生成して制御部１６に出力する。
【００３４】
（表示部１４の構成）
表示部１４は、例えば、車両８の天井に配置され、車両内部から検出領域１００に表示画像１４０を投影するように構成されている。表示部１４は、例えば、制御部１６から出力される表示信号Ｓ３に基づいて表示画像１４０を投影する。
【００３５】
この表示画像１４０は、一例として、１行目の入力領域１００ａに「１」〜「３」、２行目の入力領域１００ａに「４」〜「６」、３行目の入力領域１００ａに「７」〜「９」、４行目の入力領域１００ａに「Ｅ」、「０」、「Ｄ」の画像を含んで概略構成されている。この「０」〜「９」は、数字の入力に使用される。「Ｅ」は、例えば、暗証番号の入力を終了させるために使用される。「Ｄ」は、例えば、入力した数字を１文字分消去するために使用される。
【００３６】
ユーザは、例えば、暗証番号を入力する場合、入力する暗証番号に応じた入力領域１００ａに対してタッチ入力を行う。そしてユーザは、例えば、「Ｅ」が表示された入力領域１００ａに対してタッチ入力することにより、暗証番号の入力が終了し、照合が開始される。
【００３７】
なお操作入力装置１は、数字の入力に限定されず、アルファベット、ひらがな、カタカナ、記号、画像などを入力するように構成されても良い。
【００３８】
なお接触検出部１０は、接触が検出された接触位置を出力するように構成されても良い。同様に、振動検出部１２は、振動が検出された結果を出力するように構成されても良い。
【００３９】
（制御部１６の構成）
制御部１６は、例えば、記憶されたプログラムに従って、取得したデータに演算、加工などを行うＣＰＵ、半導体メモリであるＲＡＭ及びＲＯＭなどから構成されるマイクロコンピュータである。このＲＯＭには、例えば、制御部１６が動作するためのプログラムと、ユーザ情報１６０と、が格納されている。ＲＡＭは、例えば、一時的に演算結果などを格納する記憶領域として用いられる。また制御部１６は、その内部にクロック信号を生成する手段を有し、このクロック信号に基づいて動作を行うと共に時間の計測を行う。
【００４０】
ユーザ情報１６０は、例えば、図２（ｂ）に示すように、電子キー７６に関連付けられたユーザ名１６０ａ、暗証番号１６０ｂ及び機能１６０ｃの情報である。ユーザ名１６０ａは、例えば、電子キー７６を所有するユーザの登録名である。制御部１６は、例えば、認証部７４が認証成立時に出力する認証情報Ｓ５に基づいてユーザ名１６０ａを取得する。暗証番号１６０ｂは、例えば、実行させる機能１６０ｃごとに登録されている。機能１６０ｃは、例えば、上述の予め定められた機能であり、ユーザ名１６０ａ及び暗証番号１６０ｂに関連付けられたドアのロック、アンロック、オープンなどの機能である。
【００４１】
ユーザ情報１６０は、一例として、図２（ｂ）に示すように、１ユーザに対して複数の暗証番号と機能を登録することが可能である。そして制御部１６は、この暗証番号ごとに実行させたい機能１６０ｃをユーザ情報１６０として記憶するように構成されている。図２（ｂ）では、一例として、ユーザＡが「○○○○」の暗証番号に関連付けてドアのアンロック、「××××」の暗証番号に関連付けてドアのロックを登録し、ユーザＢが「△△△△」の暗証番号に関連付けてドアのオープンを登録している場合を示している。
【００４２】
制御部１６は、例えば、認証が成立した電子キー７６の認証情報Ｓ５とユーザ情報１６０とに基づいて、ユーザが登録した暗証番号と入力された暗証番号とを照合する。制御部１６は、照合が成立した場合、照合が成立した暗証番号１６０ｂに関連付けられた機能１６０ｃの情報を含む指示信号Ｓ４を生成して出力する。
【００４３】
制御部１６は、例えば、図３（ａ）〜図３（ｃ）に示すように、振動の発生をトリガとして検出情報Ｓ１を確認し、基準値Ｃ０より大きい静電容量値Ｃが検出されている場合、その静電容量値Ｃが検出された入力領域１００ａの入力を受け付ける。
【００４４】
具体的には、制御部１６は、振動検出部１２から取得した振動検出信号Ｓ２に基づいて振動を検出すると、接触検出部１０から取得した検出情報Ｓ１を確認する。制御部１６は、検出情報Ｓ１に基づいて接触が検出されている場合、接触が検出された入力領域１００ａに対するタッチ入力を受け付ける。制御部１６は、例えば、ユーザが「１」の入力領域１００ａに対してタッチ入力を行った場合、「１」の入力を受け付ける。制御部１６は、受け付けた入力を時系列的に記憶する。
【００４５】
ここで図３（ａ）及び図３（ｂ）には、一例として、比較のためのしきい値Ｔｈが図示されている。操作入力装置１が振動検出部１２を持たない場合、例えば、図１（ａ）に示すように、検出領域１００に導電性異物９が付着している場合の誤検出を抑制するため、導電性異物９の付着をタッチ入力と判定しないように、しきい値Ｔｈを高く設定することが考えられる。
【００４６】
しかししきい値Ｔｈが高く設定された場合、例えば、図３（ａ）に示す最初の静電容量値Ｃや図３（ｂ）に示す二番目の静電容量値Ｃがしきい値Ｔｈを超えないため、ユーザのタッチ入力が受け付けられず、暗証番号の照合が不成立となる可能性が考えられる。この場合、ユーザは、再度暗証番号を入力しなければならず、煩わしい。
【００４７】
本実施の形態の操作入力装置１は、振動をトリガとして静電容量値Ｃを確認し、基準値Ｃ０より大きい静電容量値Ｃが検出された場合、そのタッチ入力を受け付けるので、しきい値Ｔｈを高く設定する場合と比べて、ユーザが暗証番号を素早く入力することができる。
【００４８】
なお制御部１６は、例えば、振動をトリガとして、このトリガを起点とした予め定められた期間内の静電容量値Ｃを確認するものとする。この予め定められた期間は、一例として、０．５秒程度である。
【００４９】
本実施の形態の操作入力装置１の動作の一例について図４のフローチャートに従って説明する。以下では、ロック又はアンロックを指示する場合であり、電子キー７６の認証が成立しているものとしている。
【００５０】
（動作）
操作入力装置１の制御部１６は、ステップ１の「Ｙｅｓ」が成立する、つまり振動検出部１２から出力された振動検出信号Ｓ２に基づいて振動が検出された場合（Ｓｔｅｐ１：Ｙｅｓ）、接触検出部１０から入力する検出情報Ｓ１に基づいて静電容量値Ｃを確認する（Ｓｔｅｐ２）。
【００５１】
制御部１６は、予め定められた期間Ｔ内に静電容量値Ｃが基準値Ｃ０より大きくてタッチ入力が検出された場合（Ｓｔｅｐ３：Ｙｅｓ）、受け付けた入力を記憶すると共に、暗証番号の入力が終了したか確認する。
【００５２】
制御部１６は、例えば、暗証番号の入力が終了した場合（Ｓｔｅｐ４：Ｙｅｓ）、ユーザ情報１６０に基づいてユーザが登録した暗証番号１６０ｂと入力された暗証番号とを照合する。
【００５３】
制御部１６は、照合が成立した場合（Ｓｔｅｐ５：Ｙｅｓ）、ユーザ情報１６０に基づいて照合した暗証番号１６０ｂに対応する機能１６０ｃの実行を指示する指示信号Ｓ４を生成して出力する（Ｓｔｅｐ６）。
【００５４】
ここで施解錠システム７のシステム制御部７２は、例えば、ロック又はアンロックを指示する指示信号Ｓ４が入力した場合、ロック又はアンロックを指示するロックアンロック信号Ｓ６を、車両ＬＡＮ７０を介してドアロック部７８に出力する。ドアロック部７８は、このロックアンロック信号Ｓ６に基づいて車両８のドアなどをロック又はアンロックする。
【００５５】
ここでステップ３において制御部１６は、予め定められた期間Ｔ内にタッチ入力が検出されなかった場合（Ｓｔｅｐ３：Ｎｏ）、ステップ１に処理を進める。
【００５６】
またステップ４において制御部１６は、「Ｅ」に対してタッチ入力されずに、暗証番号の入力が終了していない場合（Ｓｔｅｐ４：Ｎｏ）、ステップ１に処理を進める。
【００５７】
さらにステップ５において、制御部１６は、暗証番号の照合が成立しなかった場合（Ｓｔｅｐ５：Ｎｏ）、ステップ１に処理を進める。
【００５８】
（実施の形態の効果）
本実施の形態に係る操作入力装置１は、操作性を向上させることができる。具体的には、操作入力装置１は、振動の検出に伴って入力領域１００ａに対するタッチ入力が検出された場合に入力を受け付けるので、検出用のしきい値を高く設定する場合と比べて、しきい値を高くして感度を下げる必要がなく、操作性を向上させることができる。
【００５９】
操作入力装置１は、振動をトリガとしてタッチ入力が検出された場合に入力を受け付けるので、しきい値を高く設定する場合と比べて、感度を高く、タッチ入力を素早く行うことができる。
【００６０】
操作入力装置１は、暗証番号の照合成立によってドアのロック、アンロックなどを指示することができるので、この構成を採用しない場合と比べて、電子キー７６を車両内に置いた状態でロックすることができる。
【００６１】
操作入力装置１は、振動の検出とタッチ入力の検出とを組み合わせてタッチ入力の有無を判定するので、この構成を採用しない場合と比べて、導電性異物９の付着による誤検出が抑制され、タッチ入力の判定精度が高い。
【００６２】
なお変形例として操作入力装置１は、接触の検出をトリガとして振動が検出された場合、タッチ入力を有効とする構成であっても良い。
【００６３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６４】
１…操作入力装置、７…施解錠システム、８…車両、９…導電性異物、１０…接触検出部、１２…振動検出部、１４…表示部、１６…制御部、７０…車両ＬＡＮ、７２…システム制御部、７４…認証部、７６…電子キー、７８…ドアロック部、８０…ドア、８１…ウインドウガラス、８２…ドアノブ、１００…検出領域、１００ａ…入力領域、１４０…表示画像、１６０…ユーザ情報、１６０ａ…ユーザ名、１６０ｂ…暗証番号、１６０ｃ…機能
【図１】
2019156206.tif 000003
【図２】
2019156206.tif 000004
【図３】
2019156206.tif 000005
【図４】
2019156206.tif 000006